【事件の表示】
　特願２０１３−２１８７００「万能ゴール枠運動用具」拒絶査定不服審判事件〔平成２７年　４月１６日出願公開、特開２０１５−　７１０２１〕について、次のとおり審決する。
【結　論】
　本件審判の請求は、成り立たない。
【理　由】
第１．手続の経緯 
　本件出願は、平成２５年１０月２日を出願日とする出願であって、平成２７年６月１５日、同年９月２４日に手続補正書が提出され、同年１１月２６日付けで拒絶の査定がなされ、これに対し、同年１２月２２日に拒絶査定に対する審判請求がなされ、当審で平成２８年３月１日付けで拒絶理由が通知され、同年４月１８日に手続補正書が提出され、同年６月８日付けで拒絶理由が通知され、同年７月１２日に手続補正書が提出され、同年９月１３日付けで拒絶理由が通知され、同年１０月２７日に手続補正書が提出されたものである。       
　
第２．平成２８年１０月２７日付け手続補正書による補正（以下、「本件補正」という。）と本願発明
　本件補正により、特許請求の範囲の請求項１は、
「縦の平行な二辺、横の上辺の一辺、併合された底辺の一辺がない、実質が三辺からなる棒状とする枠の中を囲む内側部分が空間で、枠内全体がオープン構成にした立体の四角形状であり、四角形状の枠を全体とする構成のものを垂直にして安定な保持をするのに、縦の二辺の各下端部に四角形状の枠が転倒防止に効果的である、四角形状の枠を結構できる通常の重さで、保護協調がある整合性の逆Ｔ字などの形状のものを連結させる支持具を設け、実質は三辺での四角形状の枠を支持具で垂直にした全体が立体的で枠形をした棒状での構造とし、四角形状の縦の二辺の各下端部の前面側、縦の二辺の各上端部と横の上辺の一辺の両端部との交わり部で、四角形状の枠の上部２か所のコーナー部の前面側と側面側へ付属品の着脱部を設け、付属品には付属の的をネット留め、バスケット・籠、ダミー人形の全てを各付属品とし、取り付け取り外しができるものであり、縦の平行な二辺、横の上辺の一辺の三辺には各伸縮性機構を設けており、縦の平行な二辺、横の上辺の一辺の各長さの調節をすることで四角形状の枠の大きさが変化でき、多様な四角形状の枠に大小のサイズのそれぞれ異なる可変式ものが複数のもの、又は縦の平行な二辺、横の上辺の一辺の三辺には伸縮性機構を設けない、四角形状の枠の大きさが変化できない固定式で多様な四角形状の枠とした各四角形状において、大小のサイズからなる複数のものがあり、可変式と前記に固定式の三辺は固定で変化しないが多様な各四角形状の枠に大小のサイズの複数からして、四角形状の枠の大きさは、可変するものであるが、どの大きさの四角形状の枠でも、各四角形状の各三辺の有用さを顕在するようにした四角形状の三辺の枠全体、又は各三辺の内側、外側を介して多種な運動ができる構成のものにし、又、可変式は三辺に伸縮性機構があり、可変式と固定式のどちらも、多様な四角形状の枠に大小のサイズのそれぞれ異なる可変ができる複数のものを保有することから、四角形状の枠の形状の変化によって、付属品の着脱部の位置は移動ができるものであり、又、四角形状の枠と支持具にクッション系や弾性体の緩衝性の付属品のものを全体的な棒状に不特定の部分的に覆うようにして、付設することで屋外、屋内の何れでも使用が可能なことを特徴とする万能ゴール枠運動用具。」
と補正された。
　　
　上記補正は、平成１８年法律第５５号改正附則第３条第１項によりなお従前の例によるとされる同法による改正前の特許法第１７条の２第５項第４号の明りょうでない記載の釈明を目的とするものに該当する。
　また、上記補正は、新規事項の追加に該当しないから、平成１８年法律第５５号改正附則第３条第１項によりなお従前の例によるとされる同法による改正前の特許法第１７条の２第３項の規定に適合する。
　次に、本件補正後の前記請求項１に係る発明（以下、「本願発明」という。）が特許を受けることができるものであるかについて以下に検討する。
　
第３．引用発明                
（１）平成２８年９月１３日付けの拒絶理由通知で引用された本願の出願日前に頒布された刊行物である実公昭２６−６８０７号公報（以下「引用例１」という。）には、図面と共に次の事項が記載されている（なお、下線は、審決で付した。以下同じ）。
　
ア．「本考案は
支柱１，１の頂端より下方に縦穴７，７を設け該孔に掬い網状の有底又は無底の網９，９を其柄部８，８を挿込んで備え其支柱の各上部に横穴８’，８’を穿通し之に前記網の柄部８，８を挿込み横向けに備え得るようにし支柱１，１の對向側に
數箇所宛横孔６，６を穿通し其對向孔間に棒１０を挿架し其棒には該棒を吊子１１の通孔１７に遊通して吊子を吊下し該吊子の前面に的板１２を固定し・・・
遊戯具
　
イ．「圖面に於て
２，２，　２，２
十字に組んである支柱臺
ウ．「
横孔を數段に設け
棒を其横孔を選擇して或は高く或は低く希望の高さを調節することが出來
エ．「
支柱の頂端の縦穴に網柄を挿し垂下状態に備えればバスケツトボールの遊びが出來横孔８’，８’を用いて網の取付けを低下
して利用
　　
図１は次のものである。
　図１をみると、横穴８’，８’は、「棒１０」と「 支柱１，１」からなる四角形状の枠の側面側に穿通され、十字に組んである支柱臺２，２，　２，２から、支柱１，１が垂直に延びており、縦穴７，７と横穴８’，８’は、支柱１，１の上部にある。
　　
　上記の記載事項を総合すると、引用例１には、次の発明（以下「引用発明１」という。）が記載されているものと認められる。 
　
　「十字に組んである支柱臺２，２，　２，２から、垂直に延びる支柱１，１の頂端より下方に、縦穴７，７を設け該孔に掬い網状の有底又は無底の網９，９を其柄部８，８を挿込んで備え、其支柱の各上部に横穴８’，８’を、棒１０と支柱１，１からなる四角形状の枠の側面側に穿通し、之に前記網の柄部８，８を挿込み横向けに備え得るようにし、支柱１，１の對向側に數箇所宛横孔６，６を穿通し其對向孔間に棒１０を挿架し、其棒には該棒を吊子１１の通孔１７に遊通して吊子を吊下し該吊子の前面に的板１２を固定し、横孔を數段に設けたから棒を其横孔を選擇して或は高く或は低く希望の高さを調節することが出来、支柱の縦穴に網柄を挿し垂下状態に備えればバスケツトボールの遊びが出來、横孔８’，８’を用いて網の取付けを低下して利用でき、縦穴７，７と横穴８’，８’は、支柱１，１の上部にある遊戯具。」
（２）前記平成２８年９月１３日付けの拒絶理由通知で引用された本願の出願日前に頒布された刊行物である特開平６−１９０１４９号公報（以下「引用例２」という。）には、図面と共に次の事項が記載されている。
　
ア．「【０００５】
【課題を解決するための手段】この発明は、上記の諸問題を解決し、室内で容易に設置できる多用述フレーム及びそのフレームを用いた
遊具及び器具
【０００６】まず、この発明に係るフレームの一例を図１、図２、図３に示す。この
フレームは２本の支柱（１）と１本の梁（２）で構成される門型構造
　
イ．「【００１７】第一実施例は、図１に示すように、多数の穴を開け、上下端に弾性体（３）を取り付けた２本の支柱（１）の上端付近に、数個の吊金具（４）を取り付けた１本の梁（２）を渡した、門型構造のフレームである。このフレームは支柱上端部を鴨居の溝に、支柱下端部を敷居の溝に、木ねじ等を一切用いず、建具をはめ込む要領で取り付けるものてあり、
支柱（１）及び梁（２）は、各家屋により異なる鴨居、敷居間等の寸法に対応するため、伸縮する構造になって
ウ．「【００２７】第十実施例は、図４に示すように、
フレームの梁（２）の吊金具（４）に、一般的なぶらんこと同様な板（１３）の付いたロープ（１１）を取り付け
　
　図４は次のものである。
　上記の記載事項を総合すると、引用例２には、次の発明（以下「引用発明２」という。）が記載されているものと認められる。
 
　「フレームは２本の支柱（１）と１本の梁（２）で構成される門型構造であり、支柱（１）及び梁（２）は、各家屋により異なる鴨居、敷居間等の寸法に対応するため、伸縮する構造になっており、フレームの梁（２）の吊金具（４）に、一般的なぶらんこと同様な板（１３）の付いたロープ（１１）を取り付ける遊具及び器具。」
　
（３）前記平成２８年９月１３日付けの拒絶理由通知で引用された本願の出願日前に頒布された刊行物である特開２００５−２３０４８９号公報（以下「引用例３」という。）には、図面と共に次の事項が記載されている。
　
ア．「【請求項１】
　鉄棒の両端を下方に折り曲げ主柱とし、基台に取付けて手軽に持ち運び自立させて利用する、
寝て使用する鉄棒
　
イ．「【０００３】
　本発明は
基台ベース４と円筒３は一体に固定され
基台ベース４を鉄棒１と平行・９０度開の形態を保持させ
円筒３のピン穴９とピン５で鉄棒１の高さを選定すれば、
主柱２の下部に逆凹形のカムの溝に鉄棒１に加重させ重みで主柱２が定着する
　
　図１ないし３は次のものである。
　図１、３をみると、基台ベース４と円筒３は逆Ｔ字型に構成されている。
　上記の記載事項を総合すると、引用例３には、次の発明（以下「引用発明３」という。）が記載されているものと認められる
　「基台ベース４と円筒３は一体に固定され、基台ベース４を鉄棒１と平行・９０度開の形態を保持させ、円筒３のピン穴９とピン５で鉄棒１の高さを選定すれば、主柱２の下部に逆凹形のカムの溝に鉄棒１に加重させ重みで主柱２が定着し、基台ベース４と円筒３は逆Ｔ字型に構成されている、寝て使用する鉄棒。」
 　
（４）前記平成２８年９月１３日付けの拒絶理由通知で引用された本願の出願日前に頒布された刊行物である米国特許第５４３３４３４号明細書（以下「引用例４」という。）には、図面と共に次の事項が記載されている。
ア．「The invention presents a pitching training device having a support frame, a strike zone frame which is fully adjustable in height and positionable within the support frame, and a catcher target behind the strike zone frame which is adjustable in height and position.」（２欄４１ないし４５行）「（和訳）発明はサポートフレームを有する
ピッチング教習道具
イ．「FIGS. 1 and 2 show the preferred embodiment of the invention in front and side view, respectively. The apparatus of the invention is surrounded and supported by a support frame (1), which is made up of tubing connected by corner blocks (2). 」（３欄１２ないし１６行）「（和訳）図１と２は、それぞれ発明の好適な実施例の前面と側面を示す。発明の装置は、
コーナーブロック（２）によって連結された管で構成されているサポートフレーム（１）
ウ．「The strike zone frame is made up of two side straps (4) and two horizontal straps (6) which are wide enough and of sufficient visual contrast to be easily seen from the pitcher's position.」（３欄下から３行ないし４欄１行）「（和訳）
ストライクゾーンフレームは、２本のサイドストラップ（４）と２本の水平ストラップ（６）で構成され
エ．「The side straps (4) and horizontal straps (6) are connected by strike zone frame corner elements (7), which provide attachment points for the supporting cords (8) which suspend the strike zone frame.
There are two supporting cords (8), one on each side of the strike zone frame. The supporting cords (8) are fixed at each end to the upper and lower strike zone corner elements (7) on each side, and slide freely where they pass through each corner block (2). 」（４欄１５ないし２４行）「（和訳）
サイドストラップ（４）と水平ストラップ（６）は、ストライクゾーンフレームをつるすサポートコード（８）の取り付け点を提供するストライクゾーンフレームコーナーエレメント（７）によって接続される。
　ストライクゾーンフレームの両側に１本ずつ２本のサポートコード（８）がある。
サポートコード（８）は各端部で、各側部の上下のストライクゾーンフレームコーナーエレメント（７）に固定され、各コーナーブロック（２）を通過する
オ．「A simulated batter (3) is preferably provided, to allow the pitcher to visualize the strike zone in relationship with the actual batters he will face in actual games.」（５欄１９ないし２１行）「（和訳）投手が実際の試合で直面する実際の打者との関係で、ストライクゾーンを視覚化できるように、
シミュレートされた打者（３）が提供される
　Ｆｉｇ１は次のものである。
　Ｆｉｇ１をみると、コーナーブロック（２）は、４角形状のサポートフレーム（１）の４隅に位置している。
　
　上記の記載事項を総合すると、引用例４には、次の発明（以下「引用発明４」という。）が記載されているものと認められる。
                             
　「４角形状のサポートフレーム（１）の４隅に位置するコーナーブロック（２）は、サポートフレーム（１）を構成する管を連結し、ストライクゾーンフレームは、２本のサイドストラップ（４）と２本の水平ストラップ（６）で構成され、サイドストラップ（４）と水平ストラップ（６）は、ストライクゾーンフレームをつるすサポートコード（８）の取り付け点を提供するストライクゾーンフレームコーナーエレメント（７）によって接続され、サポートコード（８）は各端部で、各側部の上下のストライクゾーンフレームコーナーエレメント（７）に固定され、各コーナーブロック（２）を通過し、シュミレートされた打者（３）が提供されるピッチング教習道具。」
　
（５）前記平成２８年９月１３日付けの拒絶理由通知で引用された本願の出願日前に電気通信回線を通じて公衆に利用可能となった技術である、ＴＯＥＩ　ＬＩＧＨＴ（トーエイライト）フレキシブルハードル１５０　Ｇ−１５９０のＡｍａｚｏｎ．ｃｏ．ｊｐの商品詳細ページ．ｏｎｌｉｎｅ．掲載日（Ａｍａｚｏｎ．ｃｏ．ｊｐでの取扱開始日）２００８年３月８日．検索日２０１６年６月３日．アドレス：http://www.amazon.co.jp/TOEI-LIGHT-%E3%83%88%E3%83%BC%E3%82%A8%E3%82%A4%E3%83%A9%E3%82%A4%E3%83%88-%E3%83%95%E3%83%AC%E3%82%AD%E3%82%B7%E3%83%96%E3%83%AB%E3%83%8F%E3%83%BC%E3%83%89%E3%83%AB150-G-1590/dp/B000ARCVZU/ref=sr_1_fkmr0_1?ie=UTF8qid=1464934367sr=8-1-fkmr0keywords=%E3%83%95%E3%83%AC%E3%82%AD%E3%82%B7%E3%83%96%E3%83%AB%E3%83%8F%E3%83%B3%E3%83%89%E3%83%AB+g-1590．Ａｍａｚｏｎ．ｃｏ．ｊｐ には、図面と共に次の事項が記載されている。
　サイズ：幅６０×高さ１５ｃｍ、５台１組販売
　図は次のものである。
　図をみると、「ＴＯＥＩ　ＬＩＧＨＴ（トーエイライト）フレキシブルハードル１５０　Ｇ−１５９０」は、縦の平行な二辺、横の上辺の一辺、前記縦の平行な二辺の各下端部からそれぞれ床に沿って延びる二辺からなるハードルである。
（６）前記平成２８年９月１３日付けの拒絶理由通知で引用された本願の出願日前に電気通信回線を通じて公衆に利用可能となった技術である、ＴＯＥＩ　ＬＩＧＨＴ（トーエイライト）フレキシブルハードル２００　Ｇ　−１６１０のＡｍａｚｏｎ．ｃｏ．ｊｐの商品詳細ページ．ｏｎｌｉｎｅ．掲載日（Ａｍａｚｏｎ．ｃｏ．ｊｐでの取扱開始日）２００８年３月８日．検索日２０１６年６月３日．アドレス：http://www.amazon.co.jp/TOEI-LIGHT-%E3%83%88%E3%83%BC%E3%82%A8%E3%82%A4%E3%83%A9%E3%82%A4%E3%83%88-%E3%83%95%E3%83%AC%E3%82%AD%E3%82%B7%E3%83%96%E3%83%AB%E3%83%8F%E3%83%BC%E3%83%89%E3%83%AB200-G-1610/dp/B000AR92OS/ref=sr_1_8?ie=UTF8qid=1464928379sr=8-8keywords=%E3%83%95%E3%83%AC%E3%82%AD%E3%82%B7%E3%83%96%E3%83%AB%E3%83%8F%E3%83%BC%E3%83%89%E3%83%AB．Ａｍａｚｏｎ．ｃｏ．ｊｐ　には、図面と共に次の事項が記載されている。
　
　サイズ：幅６６×高さ２０ｃｍ、５台１組販売
　図は次のものである。
　図をみると、「ＴＯＥＩ　ＬＩＧＨＴ（トーエイライト）フレキシブルハードル２００　Ｇ−１６１０」は、縦の平行な二辺、横の上辺の一辺、前記縦の平行な二辺の各下端部からそれぞれ床に沿って延びる二辺からなるハードルである。
 
（７）前記平成２８年９月１３日付けの拒絶理由通知で引用された本願の出願日前に電気通信回線を通じて公衆に利用可能となった技術である、ＴＯＥＩ　ＬＩＧＨＴ（トーエイライト）フレキシブルハードル２５０　Ｇ　−１３８０のＡｍａｚｏｎ．ｃｏ．ｊｐの商品詳細ページ．ｏｎｌｉｎｅ．掲載日（Ａｍａｚｏｎ．ｃｏ．ｊｐでの取扱開始日）２００８年３月８日．検索日２０１６年６月３日．アドレス：http://www.amazon.co.jp/TOEI-LIGHT-%E3%83%88%E3%83%BC%E3%82%A8%E3%82%A4%E3%83%A9%E3%82%A4%E3%83%88-%E3%83%95%E3%83%AC%E3%82%AD%E3%82%B7%E3%83%96%E3%83%AB%E3%83%8F%E3%83%BC%E3%83%89%E3%83%AB250-G-1380/dp/B000ARDSX4/ref=sr_1_fkmr0_1?ie=UTF8qid=1464934316sr=8-1-fkmr0keywords=%E3%83%95%E3%83%AC%E3%82%AD%E3%82%B7%E3%83%96%E3%83%AB%E3%83%8F%E3%83%B3%E3%83%89%E3%83%AB+g-1380．Ａｍａｚｏｎ．ｃｏ．ｊｐ には、図面と共に次の事項が記載されている。
 
　サイズ：幅６７×高さ２５ｃｍ、５台１組販売
　図は次のものである。
　図をみると、「ＴＯＥＩ　ＬＩＧＨＴ（トーエイライト）フレキシブルハードル２５０　Ｇ−１３８０」は、縦の平行な二辺、横の上辺の一辺、前記縦の平行な二辺の各下端部からそれぞれ床に沿って延びる二辺からなるハードルである。
           
（８）前記平成２８年９月１３日付けの拒絶理由通知で引用された本願の出願日前に電気通信回線を通じて公衆に利用可能となった技術である、ＴＯＥＩ　ＬＩＧＨＴ（トーエイライト）フレキシブルハードル３００　Ｇ−１９５５のＡｍａｚｏｎ．ｃｏ．ｊｐの商品詳細ページ．ｏｎｌｉｎｅ．掲載日（Ａｍａｚｏｎ．ｃｏ．ｊｐでの取扱開始日）２００８年３月８日．検索日２０１６年６月３日．アドレス：http://www.amazon.co.jp/TOEI-LIGHT-%E3%83%88%E3%83%BC%E3%82%A8%E3%82%A4%E3%83%A9%E3%82%A4%E3%83%88-%E3%83%95%E3%83%AC%E3%82%AD%E3%82%B7%E3%83%96%E3%83%AB%E3%83%8F%E3%83%BC%E3%83%89%E3%83%AB300-G-1955/dp/B000ARLWKA/ref=sr_1_4?ie=UTF8qid=1464933817sr=8-4keywords=%E3%83%95%E3%83%AC%E3%82%AD%E3%82%B7%E3%83%96%E3%83%AB%E3%83%8F%E3%83%BC%E3%83%89%E3%83%AB%E3%80%80G-1955．Ａｍａｚｏｎ．ｃｏ．ｊｐ　には、図面と共に次の事項が記載されている。
　
　サイズ：幅７０×高さ３０ｃｍ、５台１組販売
　
　図は次のものである。
　図をみると、「ＴＯＥＩ　ＬＩＧＨＴ（トーエイライト）フレキシブルハードル３００　Ｇ−１９５５」は、縦の平行な二辺、横の上辺の一辺、前記縦の平行な二辺の各下端部からそれぞれ床に沿って延びる二辺からなるハードルであり、そのサイズは幅７０×高さ３０ｃｍであるが、図には様々なサイズのハードルがセットで並べられている。
（９）前記（５）ないし（８）の記載事項からみると、前記引用例５ないし８には、次の周知技術（以下「周知技術」という。）が記載されていると認められる。
　「一般のハードルにおいて、縦の平行な二辺、横の上辺の一辺、前記縦の平行な二辺の各下端部からそれぞれ床に沿って延びる二辺からなり、様々なサイズがセットとなったハードル。」
　
（１０）特開平１０−２３００３３号公報
　前記平成２８年９月１３日付けの拒絶理由通知で引用された本願の出願日前に頒布された刊行物である特開平１０−２３００３３号公報（以下「引用例９」という。）には、図面と共に次の事項が記載されている。      
「【００１３】図１において、
ゴール１０
一対の縦柱部材
１１
縦柱部材１１の周囲に夫々取り付けられる衝撃緩和材１５
を含
　
　前記の記載事項を総合すると、引用例９には、次の発明（以下「引用発明９」という。）が記載されているものと認められる。
　「一対の縦柱部材１１の周囲に夫々取り付けられる衝撃緩和材１５を含むゴール１０。」
　
（１１）登録実用新案第３０４４２６２号公報
　前記平成２８年９月１３日付けの拒絶理由通知で引用された本願の出願日前に頒布された刊行物である登録実用新案第３０４４２６２号公報（以下「引用例１０」という。）には、図面と共に次の事項が記載されている。
　　　
「【００１０】
  【考案の実施の形態】
  図１及び図２において、１は、
保護装置
クッション層２及びスペーサ３よりな
クッション層２は、３つに分割されそれぞれ独立したクッション層部分２ａ，２ｂ，２ｃよりな
「【００１３】
　 図３は、
保護装置
をサッカーゴールポストの左右の支柱７に取りつけた場合
クッション層部分２ａ，２ｂ，２ｃが支柱７の前面及び左右側面に位置せしめられ
　上記の記載事項を総合すると、引用例１０には、次の発明（以下「引用発明１０」という。）が記載されているものと認められる。
　「保護装置は、クッション層２及びスペーサ３よりなり、クッション層２は、３つに分割されそれぞれ独立したクッション層部分２ａ，２ｂ，２ｃよりなり、保護装置をサッカーゴールポストの左右の支柱７に取りつけた場合、クッション層部分２ａ，２ｂ，２ｃが支柱７の前面及び左右側面に位置せしめられるサッカーゴールポスト。」
　
第４　対比 
　本願発明と、引用発明１を対比すると、
　後者の「支柱臺２，２，　２，２」は「支持具」に、「支柱１，１」は、前者の「縦の平行な二辺」に相当し、以下同様に、「有底又は無底の網９，９」は「バスケット・籠」及び「付属品」に、「棒１０」は「横の上辺の一辺」に、「的板１２」は「付属の的」に相当する。
　
　引用例１の前記図をみると、引用発明１の「支柱１，１」と「棒１０」及び「支柱臺２，２，　２，２」は、本願発明の「縦の平行な二辺、横の上辺の一辺、併合された底辺の一辺がない、実質が三辺からなる棒状とする枠の中を囲む内側部分が空間で、枠内全体がオープン構成にした立体の四角形状」、「実質は三辺での四角形状の枠を支持具で垂直にした全体が立体的で枠形をした棒状での構造」をなしているといえる。
　
　本願発明の「結構できる通常の重さ」の意味について、本願明細書には具体的な説明はされていないが、本願請求項１には「四角形状の枠を全体とする構成のものを垂直にして安定な保持をするのに、縦の二辺の各下端部に四角形状の枠が転倒防止に効果的である」と記載され、また、前記「結構」とは、かまえつくること、組み立てること[株式会社岩波書店 広辞苑第六版]の意味であるところからみると、前記「結構できる通常の重さ」とは、「支持具」が「万能ゴール枠運動用具」をかまえつくる（組み立てる）ことができる重さを有することと解される。
　引用発明１の「支柱臺」も、「遊戯具」を支持し得るから、「四角形状の枠を全体とする構成のものを垂直にして安定な保持をするのに、縦の二辺の各下端部に四角形状の枠が転倒防止に効果的」にかまえつくる（組み立てる）ことができる重さを有していると解されるので、引用発明１は、本願発明と同様に「四角形状の枠を全体とする構成のものを垂直にして安定な保持をするのに、縦の二辺の各下端部に四角形状の枠が転倒防止に効果的である、四角形状の枠を結構できる通常の重さのものを連結させる支持具」を備えているといえる。
　　
　引用発明１は、四角形状の三辺の枠全体、又は各三辺の内側、外側を介して多種な運動ができるものであるから、引用発明１は、本願発明と同様に「四角形状の三辺の有用さを顕在するようにした四角形状の三辺の枠全体、又は各三辺の内側、外側を介して多種な運動ができる構成」を備えているといえる。　         
　引用発明１は、明記されていないが屋内外で使用できることは自明であるから、本願発明と同様に「屋外、屋内の何れでも使用が可能」であるといえる。
　　
　したがって、両者は、 
「縦の平行な二辺、横の上辺の一辺、併合された底辺の一辺がない、実質が三辺からなる棒状とする枠の中を囲む内側部分が空間で、枠内全体がオープン構成にした立体の四角形状であり、四角形状の枠を全体とする構成のものを垂直にして安定な保持をするのに、縦の二辺の各下端部に四角形状の枠が転倒防止に効果的である、四角形状の枠を結構できる通常の重さのものを連結させる支持具を設け、実質は三辺での四角形状の枠を支持具で垂直にした全体が立体的で枠形をした棒状での構造とし、付属品には付属のバスケット・籠を各付属品とし、取り付け取り外しができるものであり、四角形状の三辺の有用さを顕在するようにした四角形状の三辺の枠全体、又は各三辺の内側、外側を介して多種な運動ができる構成のものにし、屋外、屋内の何れでも使用が可能な万能ゴール枠運動用具。」
　
　の点で一致し、以下の各相違点で相違している。 
　　
相違点１：本願発明の「支持具」は、「逆Ｔ字などの形状のものを連結させ」、「保護協調がある整合性」を有するのに対して、引用発明１の「支柱臺２，２，　２，２」は、「十字に組んであ」り、前記「保護協調がある整合性」について、明記されていない点。            
相違点２：本願発明が「四角形状の縦の二辺の各下端部の前面側、縦の二辺の各上端部と横の上辺の一辺の両端部との交わり部で、四角形状の枠の上部２か所のコーナー部の前面側と側面側へ付属品の着脱部を設け」るのに対して、引用発明１は、「有底又は無底の網９，９」（付属品）の網柄（８，８）を、「支柱１，１」の「縦穴７，７」又は「横穴８’，８’」に挿すものである点。       
　
相違点３：本願発明の「付属の的をネット留め、バスケット・籠、ダミー人形の全て」を各付属品としているのに対して、引用発明１の「的板１２」（付属の的）はネット止めされておらず、「ダミー人形」が付属品ではない点。
　　　
相違点４：本願発明が、「縦の平行な二辺、横の上辺の一辺の三辺には各伸縮性機構を設けており、縦の平行な二辺、横の上辺の一辺の各長さの調節をすることで四角形状の枠の大きさが変化でき、多様な四角形状の枠に大小のサイズのそれぞれ異なる可変式ものが複数のもの、又は縦の平行な二辺、横の上辺の一辺の三辺には伸縮性機構を設けない、四角形状の枠の大きさが変化できない固定式で多様な四角形状の枠とした各四角形状において、大小のサイズからなる複数のものがあり、可変式と前記に固定式の三辺は固定で変化しないが多様な各四角形状の枠に大小のサイズの複数からして、四角形状の枠の大きさは、可変するものであるが、どの大きさの四角形状の枠でも、各四角形状の各三辺の有用さを顕在するようにした四角形状の三辺の枠全体、又は各三辺の内側、外側を介して多種な運動ができる構成のもの」であり、「又、可変式は三辺に伸縮性機構があり、可変式と固定式のどちらも、多様な四角形状の枠に大小のサイズのそれぞれ異なる可変ができる複数のものを保有することから、四角形状の枠の形状の変化によって、付属品の着脱部の位置は移動ができるもの」であるのに対して、引用発明１は、「支柱１，１の對向側に１箇所宛乃至數箇所」の「横孔６，６」が「穿通」され、「棒１０」は、「其横孔を選擇して或いは高く低く希望の高さを調整することが出来」るものであり、大小のサイズのそれぞれ異なるものが複数あるものではなく、「支柱の縦穴に網柄を挿し垂下状態に備えればバスケットボールの遊びが出来横孔８’８’を用いて網の取付けを低下して利用でき」るものである点。
相違点５：本願発明が、「四角形状の枠と支持具にクッション系や弾性体の緩衝性の付属品のものを全体的な棒状に不特定の部分的に覆うようにして」いるのに対して、引用発明１はクッション系や弾性体の緩衝性の付属品をそなえていない点。
　
第５　判断 
　前記各相違点について検討する。       
（１）相違点１について
　引用発明３の「基台ベース４と円筒３は逆Ｔ字型に構成され」ていることは、本願発明の「支持具」が「逆Ｔ字などの形状のものを連結させ」ていることに相当するから、本願発明と同様に「保護協調がある整合性」を有すると解される。してみると、引用発明３には相違点１に係る本願発明の発明特定事項が示されている。　　
　引用発明１は「バスケツトボールの遊びが」できるものであり、引用発明３は、「寝て使用する鉄棒」であるから、本願発明と同様に運動具という共通の技術分野に属するものである。
　よって、引用発明１において、引用発明３を適用して、相違点１に係る本願発明の発明特定事項とすることは、当業者が容易に想到し得るものである。  
（２）相違点２について
　引用発明１において、本願発明の付属品に相当する「有底又は無底の網９，９」の網柄（８，８）を、「支柱１，１」に挿すから、網柄（８，８）の着脱部は２か所であり、「縦穴７，７」は支柱１，１の頂端より下方に設けられた縦穴であり、「横穴８’，８’」は、支柱１，１の各上部に穿通されたものであるから、「縦穴７，７」、「横穴８’，８’」は、「棒１０」と「 支柱１，１」からなる四角形状の枠の上部にあるといえる。
　また、前記「横穴８’，８’」は、棒１０と支柱１，１からなる四角形状の枠の側面側に穿通されている。
　よって、引用発明１において、相違点２に係る本願発明の発明特定事項である「四角形状の枠の上部２か所の部分の側面側に付属品の着脱部を設け」る点を備えており、これに加えて「付属品の着脱部」を「四角形状の枠の上部２か所の部分の」前面側にも設けることは当業者にとって格別困難なことではない。
　引用発明４には、本願発明の付属品に相当する「ストライクゾーンフレーム」をつるす「サポートコード（８）」は「４角形状のサポートフレーム（１）の４隅に位置するコーナーブロック（２）」を通過するから、相違点２に係る本願発明の発明特定事項である「四角形状の縦の二辺の各下端部、縦の二辺の各上端部と横の上辺の一辺の両端部との交わり部で、四角形状の枠の上部２か所のコーナー部に付属品の着脱部を設け」る点を備えているといえる。
　そして、引用発明１と引用発明４は、それぞれ「バスケツトボールの遊びが」できるもの、「ピッチング教習道具」であり、共に運動具という共通の技術分野に属するものであるから、引用発明１において、引用発明４を適用することは、当業者が容易に想到し得るものである。
（３）相違点３について
ア．引用発明１の「的板１２」（付属の的）は「吊子１１」に固定されているが、相違点３に係る本願発明の特定事項である「ネット留め」は物品の固定方法として一般的な方法に過ぎず、「的板１２」（付属の的）を「吊子１１」に固定するか、ネット留めするかは適宜の設計的事項に過ぎず技術的に格別の効果が生じるものでもない。
イ．引用発明４の「シミュレートされた打者（３）」は、本願発明の「ダミー人形」に相当する。
　また、引用発明１の「掬い網状の有底又は無底の網９，９」、「的板１２」、引用発明４の「シミュレートされた打者（３）」が取り付け取り外しができることは自明である。
ウ．引用発明１と引用発明４は、それぞれ「バスケツトボールの遊びが」できるもの、「ピッチング教習道具」であり、共に運動具という共通の技術分野に属するものであるから、引用発明１において、引用発明４を適用することは、当業者が容易に想到し得るものである。　
　そして、引用発明１に引用発明４を適用すれば、必然的に、「付属の的」、「バスケット・籠、ダミー人形の全てを各付属品とし、取り付け取り外しができるもの」となるものである。　
　　　
（４）相違点４について 　
ア．相違点４に係る本願発明の「縦の平行な二辺、横の上辺の一辺の各長さの調節をすることで四角形状の枠の大きさが変化でき、多様な四角形状の枠に大小のサイズのそれぞれ異なる可変式ものが複数のもの、又は縦の平行な二辺、横の上辺の一辺の三辺には伸縮性機構を設けない、四角形状の枠の大きさが変化できない固定式で多様な四角形状の枠とした各四角形状において、大小のサイズからなる複数のものがあり」との発明特定事項には、前記「縦の平行な二辺、横の上辺の一辺の各長さの調節をすることで四角形状の枠の大きさが変化でき、多様な四角形状の枠に大小のサイズのそれぞれ異なる可変式ものが複数のもの」（以下「可変式」という。）と、前記「縦の平行な二辺、横の上辺の一辺の三辺には伸縮性機構を設けない、四角形状の枠の大きさが変化できない固定式で多様な四角形状の枠とした各四角形状において、大小のサイズからなる複数のもの」（以下「固定式」という。）のものが、択一的に示されている。
　
イ．前記「可変式」のものについて検討する。
　引用発明２の「梁（２）は、・・・伸縮する構造」は、引用例２の図をみてもわかるとおり、梁（２）の伸縮により、２本の支柱（１）の間隔が増減する構造であり、相違点４に係る本願発明の発明特定事項である「横の上辺の一辺」に「伸縮性機構を設けており」、「横の上辺の一辺の長さの調節をする」ものに相当する。
　引用発明３の「円筒３のピン穴９とピン５で鉄棒１の高さを選定すれば、主柱２の下部に逆凹形のカムの溝に鉄棒１に加重させ重みで主柱２が定着」する構造は、引用例３の図１、２をみてもわかるとおり、主柱２と円筒３（縦の平行な二辺）が、伸縮することにより、鉄棒１の高さを増減する構造であり、相違点４に係る本願発明の発明特定事項である「縦の平行な二辺」には「各伸縮性機構を設けており、縦の平行な二辺、」「の各長さの調節をする」ものに相当する。
　前記第３（９）のとおり、「一般のハードルにおいて、縦の平行な二辺、横の上辺の一辺、前記縦の平行な二辺の各下端部からそれぞれ床に沿って延びる二辺からなり様々なサイズがセットとなったハードル」は周知技術であり、相違点４に係る本願発明の発明特定事項である「多様な四角形状の枠に大小のサイズのそれぞれ異なる」ものに相当する。
　よって、引用発明１に引用発明２、３、及び周知技術を適用すれば、相違点４に係る本願発明の発明特定事項である、「縦の平行な二辺、横の上辺の一辺の三辺には各伸縮性機構を設けており、縦の平行な二辺、横の上辺の一辺の各長さの調節をすることで四角形状の枠の大きさが変化でき、多様な四角形状の枠に大小のサイズのそれぞれ異なる可変式ものが複数のもの」（可変式）となる。
ウ．前記「固定式」のものについて検討する。
　前記周知技術には、前記相違点４に係る本願発明の発明特定事項である「縦の平行な二辺、横の上辺の一辺の三辺には伸縮性機構を設けない、四角形状の枠の大きさが変化できない固定式で多様な四角形状の枠とした各四角形状において、大小のサイズからなる複数のもの」が示されている。　
　よって、引用発明１に周知技術を適用すれば、相違点４に係る本願発明の発明特定事項である、「縦の平行な二辺、横の上辺の一辺の三辺には伸縮性機構を設けない、四角形状の枠の大きさが変化できない固定式で多様な四角形状の枠とした各四角形状において、大小のサイズからなる複数のもの」（固定式）となる。
　
エ．相違点４に係る本願発明の発明特定事項である「可変式と前記に固定式の三辺は固定で変化しないが多様な各四角形状の枠に大小のサイズの複数からして、四角形状の枠の大きさは、可変するものであるが、どの大きさの四角形状の枠でも、各四角形状の各三辺の有用さを顕在するようにした四角形状の三辺の枠全体、又は各三辺の内側、外側を介して多種な運動ができる構成のもの」ことについて検討する。
　前記相違点４に係る本願発明の「可変式と前記に固定式の三辺は固定で変化しないが多様な各四角形状の枠に大小のサイズの複数からして、四角形状の枠の大きさは、可変するものである」との発明特定事項は、前記ア、イのとおり、引用発明２、３、及び前記周知技術に示されている。
　前記「各四角形状の各三辺の有用さを顕在するようにした」ことが、どのような効果を意味するのか必ずしも明確でないが、本願発明の前記「各三辺」（縦の平行な二辺、横の上辺の一辺）の構成と、引用発明１の「支柱１，１」、「棒１０」の構成は同様であるから、当然引用発明１は、「各四角形状の各三辺の有用さを顕在するようにした」ものであるといえる。
　そして、前記相違点４に係る本願発明の発明特定事項である「どの大きさの四角形状の枠でも、各四角形状の各三辺の有用さを顕在するようにした四角形状の三辺の枠全体、又は各三辺の内側、外側を介して多種な運動ができる構成のもの」との発明特定事項は、引用発明１に引用発明２、３及び前記周知技術を適用すれば、当然「四角形状の三辺の枠全体、又は各三辺の内側、外側を介して多種な運動ができる構成のもの」となる。
オ．相違点４に係る本願発明の発明特定事項である「又、可変式は三辺に伸縮性機構があり、可変式と固定式のどちらも、多様な四角形状の枠に大小のサイズのそれぞれ異なる可変ができる複数のものを保有することから、四角形状の枠の形状の変化によって、付属品の着脱部の位置は移動ができるもの」について、引用発明１において、引用発明２、３、及び周知技術によってそのサイズを変化させれば、必然的に「付属品の着脱部の位置は移動ができる」ことになる。 
　
カ．そして、引用発明１と引用発明２、３、及び周知技術は、それぞれ「バスケツトボールの遊びが」できるもの、「遊具及び器具」、「寝て使用する鉄棒」、「ハードル」であり、共に運動具という共通の技術分野に属するものであるから、引用発明１に、引用発明２、３及び周知技術を適用して相違点４に係る本願発明の発明特定事項とすることは、当業者が容易に想到し得るものである。
　
（５）相違点５について
　引用発明９、１０はそれぞれ、「一対の縦柱部材１１の周囲に夫々取り付けられる衝撃緩和材１５を含むゴール１０」、「支柱７は断面４角形であり、クッション層部分２ａ，２ｂ，２ｃが支柱７の前面及び左右側面に位置せしめられるサッカーゴールポスト」であり、相違点５に係る本願発明の発明特定事項が備えられている。
　そして、引用発明１と引用発明９、１０は、それぞれ「バスケツトボールの遊びが」できるもの、「ゴール」、「サッカーゴールポスト」であり、共に運動具という共通の技術分野に属するものであるから、引用発明１において、引用発明９、１０を適用して、相違点５に係る本願発明の発明特定事項とすることは、当業者が容易に想到し得るものである。
（６）そして、本願発明の全体の発明特定事項によって奏される効果も、引用発明１ないし４、９、１０及び周知技術から当業者が予測し得る範囲内のものである。
第６　むすび 
　以上のとおり、本願発明は、引用発明１ないし４、９、１０及び周知技術に基づいて当業者が容易に発明をすることができたものであるから、特許法第２９条第２項の規定により特許を受けることができない。
　よって、結論のとおり審決する。